(57)【要約】【課題】同時に複数の信号を受信した場合でも１つのＩＭＦ受信機で周波数を正確に測定可能にする。【解決手段】受信信号を複数のチャンネルに分配し、この分配された各チャンネルの信号を通過帯域が互いに異なる複数のバンドパスフィルタ２に入力する。これらバンドパスフィルタを通過した信号を２つの信号に分配し、分配された一方の信号を遅延回路４で遅延させ、この遅延回路のいずれか１つを選択する選択スイッチ５に接続する。分配された他方の信号をそれぞれ入力して信号レベルの一番高い信号のチャンネルを検出する最大チャンネル検出回路７を設け、この最大チャンネル検出回路で検出された信号に基づき、選択スイッチを信号レベルの一番高い信号のチャンネルの遅延回路に切替接続し、選択スイッチで選択された遅延回路の出力信号から受信信号の周波数をＩＦＭ受信機で測定する。【選択図】図１
2009198383.tif 000002
【特許請求の範囲】
【請求項１】
受信信号を複数のチャンネルに分配する分配器、この分配器で分配された各チャンネルの信号をそれぞれ入力する通過帯域が互いに異なる複数のバンドパスフィルタ、これらバンドパスフィルタを通過した信号をそれぞれ２つの信号に分配する２分配器、これら２分配器から出力された２つの出力信号のうち、一方の信号をそれぞれ遅延させる遅延回路、これら遅延回路の出力のいずれか１つを選択する選択スイッチ、前記２分配器から出力された２つの出力信号のうち、他方の信号をそれぞれ入力して前記複数のバンドパスフィルタを通過した信号のうち信号レベルの一番高い信号のチャンネルを検出する最大チャンネル検出回路、この最大チャンネル検出回路で検出された信号に基づき、前記選択スイッチを信号レベルの一番高い信号のチャンネルの遅延回路に切替接続する切替回路、および前記選択スイッチで選択された前記遅延回路の出力信号から前記受信信号の周波数を測定するＩＦＭ受信機を備えた周波数測定装置。
【請求項２】
受信信号を複数のチャンネルに分配する分配器、この分配器で分配された各チャンネルの信号をそれぞれ入力する通過帯域が互いに異なる複数のバンドパスフィルタ、これらバンドパスフィルタを通過した信号をそれぞれ２つの信号に分配する２分配器、これら２分配器から出力された２つの出力信号のうち、一方の信号をそれぞれ遅延させる遅延回路、これら遅延回路の出力のいずれか１つを選択する選択スイッチ、前記２分配器から出力された２つの出力信号のうち、他方の信号をそれぞれ入力して、信号入力があったチャンネルを検出する信号検出回路、この信号検出回路で検出された信号に基づき、前記選択スイッチを信号入力のあったチャンネルの遅延回路に時分割で切替接続する切替回路、および前記選択スイッチで選択された前記遅延回路の出力信号から前記受信信号の周波数を測定するＩＦＭ受信機を備えた周波数測定装置。
【請求項３】
請求項２に記載の周波数測定装置において、前記選択スイッチの後段にミキサと、このミキサに入力される信号の周波数を変換するための周波数可変信号発振器とを設け、前記切替回路からの切替信号に応じて前記周波数可変信号発振器の発振周波数を可変制御することにより、前記ミキサから前記ＩＦＭ受信機に入力される信号の周波数範囲がほぼ同じになるようにした周波数測定装置。
【発明の詳細な説明】
【技術分野】
【０００１】
この発明はレーダ信号などの周波数を分析するための周波数測定装置に関するもので、特にＩＦＭ（Instantaneous Frequency Measurement）受信機を用いた周波数測定装置に
関するものである。
【背景技術】
【０００２】
ＩＦＭ受信機を用いた周波数測定装置においては、２ＧＨｚ〜１８ＧＨｚといった広帯域の周波数の測定をカバーするものの、同時に複数の信号が入力した場合は周波数を正しく測定できない可能性があった。
このような課題を解決するために、入力信号を分配する分配器と、入力信号の周波数を測定する広帯域周波数測定回路と、分配器で分配された入力信号を広帯域周波数測定回路で測定された入力信号周波数で定まる発振周波数で混合して帯域を変えて変調入力とする混合器と、帯域を変えられた変調入力に対して設定周波数幅で通過を阻止する帯域阻止フィルタとを備え、入力信号と帯域阻止フィルタを通過した変調入力の周波数を測定することにより、同時に入力した複数の周波数信号のどちらの周波数も測定できるようにしたＩＦＭ受信機が提案されている。（特許文献１参照）
【０００３】
また、入力信号を中心周波数の異なる複数のバンドパスフィルタを並列に並べて構成したフィルタバンクに入力し、隣接するバンドパスフィルタから出力された信号のパルス振幅値を比較してレベル差を算出する振幅比較回路を設け、このレベル差から入力信号の周波数を算出するようにしたチャネライズド方式の受信装置において、入力信号のパルス振幅値が安定になった後に振幅比較することにより、周波数算出精度を向上するようにした受信装置が提案されている。（特許文献２参照）
【０００４】
【特許文献１】特開平８−３１３５６８号公報
【特許文献２】特開２００２−１５２０７２号公報
【発明の開示】
【発明が解決しようとする課題】
【０００５】
従来の周波数測定装置は上記のように構成され、特許文献１に示されるものは、２個のＩＦＭ受信機を必要としたり、同時に入力される入力信号のうち２つの周波数信号しか測定できないという課題があった。また特許文献２に示されるものは、チャネライズド方式の受信装置のため、本願発明のＩＦＭ受信機を用いた周波数測定装置の課題であった、同時に複数の信号が入力した場合に周波数を正しく測定できないという問題はないものの、チャンネル毎にログアンプ、Ａ／Ｄ変換器、振幅比較回路を設けなければならず、装置規模が大きくなり、また周波数測定分解能も悪くなるという課題があった。
【０００６】
この発明はこのような従来の課題を解決するためになされたもので、１つのＩＦＭ受信機で、同時に複数の信号が入力した場合でも簡単な構成で周波数を正確に測定することができる周波数測定装置を提供することを目的とするものである。
【課題を解決するための手段】
【０００７】
この発明の周波数測定装置は、受信信号を複数のチャンネルに分配する分配器、この分配器で分配された各チャンネルの信号をそれぞれ入力する通過帯域が互いに異なる複数のバンドパスフィルタ、これらバンドパスフィルタを通過した信号をそれぞれ２つの信号に分配する２分配器、これら２分配器から出力された２つの出力信号のうち、一方の信号をそれぞれ遅延させる遅延回路、これら遅延回路の出力のいずれか１つを選択する選択スイ
ッチ、２分配器から出力された２つの出力信号のうち、他方の信号をそれぞれ入力して複数のバンドパスフィルタを通過した信号のうち信号レベルの一番高い信号のチャンネルを検出する最大チャンネル検出回路、この最大チャンネル検出回路で検出された信号に基づき、選択スイッチを信号レベルの一番高い信号のチャンネルの遅延回路に切替接続する切替回路、および選択スイッチで選択された遅延回路の出力信号から受信信号の周波数を測定するＩＦＭ受信機を備えたものである。
【０００８】
また、この発明の周波数測定装置は、受信信号を複数のチャンネルに分配する分配器、この分配器で分配された各チャンネルの信号をそれぞれ入力する通過帯域が互いに異なる複数のバンドパスフィルタ、これらバンドパスフィルタを通過した信号をそれぞれ２つの信号に分配する２分配器、これら２分配器から出力された２つの出力信号のうち、一方の信号をそれぞれ遅延させる遅延回路、これら遅延回路の出力のいずれか１つを選択する選択スイッチ、２分配器から出力された２つの出力信号のうち、他方の信号をそれぞれ入力して、信号入力があったチャンネルを検出する信号検出回路、この信号検出回路で検出された信号に基づき、選択スイッチを信号入力のあったチャンネルの遅延回路に時分割で切替接続する切替回路、および選択スイッチで選択された遅延回路の出力信号から受信信号の周波数を測定するＩＦＭ受信機を備えたものである。
【発明の効果】
【０００９】
この発明の周波数測定装置は、複数の信号を同時に受信した時に、一番入力レベルが高い信号をＩＦＭ受信機に入力するようにしているから、同時に複数の信号を受信した場合も周波数を正確に測定できる。
また複数の信号を同時に受信した時に、入力された信号を時分割で選択してＩＦＭ受信機に入力するようにしているから、選択した信号の周波数を測定することにより、同時に複数の信号を受信した場合も時分割で各信号の周波数を正確に測定できる。
【発明を実施するための最良の形態】
【００１０】
実施の形態１．
以下この実施の形態１における周波数測定装置を図面に基づき説明する。図１はこの発明の実施の形態１における周波数測定装置の構成図、図２は周波数測定装置に使用されるＩＦＭ受信機の一例を示す概略図、図３は実施の形態１における周波数測定装置の動作説明図である。
図１において、分配器１はレーダ装置のアンテナ等で受信した高周波の受信信号ｆＲＦを、受信帯域をカバ−する複数のチャンネルＣＨ１〜ＣＨｎに分配（この場合ｎ分配）する。複数のチャンネルＣＨ１〜ＣＨｎに分配された受信信号は、それぞれ通過帯域が互いに異なる複数のバンドパスフィルタ（ＢＰＦ）２１〜２ｎに入力される。各バンドパスフィルタ２１〜２ｎを通過した信号はそれぞれ２分配器３１〜３ｎで２つの信号に分配される。２分配器３１〜３ｎで２つの信号に分配された信号のうち、一方の信号はそれぞれ遅延時間が異なる遅延線で構成された遅延回路４１〜４ｎに入力され、各信号が遅延される。各遅延回路４１〜４ｎは選択スイッチ５によりいずれか１つが選択され、選択されたチャンネルの遅延回路４１〜４ｎからの信号を出力する。
なお、チャンネルＣＨ１〜ＣＨｎ、バンドパスフィルタ２１〜２ｎ、２分配器３１〜３ｎおよび遅延回路４１〜４ｎは、以下の説明において、一般的に説明する場合はそれぞれチャンネルＣＨ、バンドパスフィルタ２、２分配器３、遅延回路４と称す。
【００１１】
２分配器３１〜３ｎで２つの信号に分配された信号のうち、他方の信号は検波器６により検波され、ビデオ信号に変換される。ビデオ信号に変換された各チャンネルＣＨの信号は最大チャンネル検出回路７に入力され、各チャンネルＣＨの信号のうち信号レベル（振幅値）の一番高い信号のチャンネルＣＨ１〜ＣＨｎが検出される。チャンネル切替回路８は、最大チャンネル検出回路７で検出された信号に基づき、選択スイッチ５を信号レベル
の一番高い信号のチャンネルＣＨの遅延回路４に切替接続するよう、選択スイッチ５にＣＨ制御信号を送る。ＩＦＭ受信機９は選択スイッチ５で選択された遅延回路４の出力信号から受信信号の周波数を測定する。
【００１２】
図２はＩＦＭ受信機９の一例の概略図を示し、入力信号はＩ／Ｑ検波器９１に入力され、Ｉ信号とＱ信号に分けられる。Ｉ信号とＱ信号はそれぞれ周波数算出回路９２に入力され、Ｉ／Ｑ検波器９１に入力する入力信号の位相差θ（θ＝２πｆτ）から、入力信号の周波数ｆを算出する。なおここに示したＩＦＭ受信機９は一例であり、その他に特許文献１に示されたＩＦＭ受信機などが使用できる。
【００１３】
次の実施の形態１における周波数測定装置の動作を図１および図３に基づいて説明する。ここの説明では、受信信号ｆＲＦとして、パルス変調されたレベル差のある周波数ｆ１の信号と周波数ｆ２の信号の複数信号を同時に受信した場合について説明する。
高周波の受信信号ｆＲＦは分配器１により分配され、周波数ｆ１の信号はチャンネルＣＨ１のバンドパスフィルタ（ＢＰＦ）２１を、周波数ｆ２の信号はチャンネルＣＨ２のバンドパスフィルタ（ＢＰＦ）２２をそれぞれ通過する。チャンネルＣＨ３のバンドパスフィルタ２３・・・チャンネルＣＨｎのバンドパスフィルタ２ｎには、受信信号ｆＲＦにそれに相当する周波数の信号がないため、信号は通過しない。
【００１４】
チャンネルＣＨ１のバンドパスフィルタ２１を通過した周波数ｆ１の信号、およびチャンネルＣＨ２のバンドパスフィルタ２２を通過した周波数ｆ２の信号は、２分配器３１、３２でそれぞれ信号が２分配される。２分配された一方の周波数ｆ１の信号と周波数ｆ２の信号は遅延回路４１および４２に入力され、２分配された他方の周波数ｆ１の信号と周波数ｆ２の信号は検波器６でビデオ信号に変換される。図３（ａ）は検波器６で変換された検波ビデオ信号を示す。ここではチャンネルＣＨ１、ＣＨ２に周波数ｆ１、ｆ２の信号があり、チャンネルＣＨ３・・・ＣＨｎには信号がない。
【００１５】
検波後のビデオ信号は最大チャンネル検出回路７に入力され、まずチャンネルＣＨ１〜ＣＨｎの各検波ビデオ信号のオア（ＯＲ）をとる。このＯＲをとった後の信号が図３（ｂ）のＯＲ検波ビデオ信号である。次に、このＯＲ検波ビデオ信号とスレッショルドレベルを比較することにより、スレッショルドレベルを越えたＯＲ検波ビデオ信号からＱビデオ信号を生成する。これが図３（ｃ）のＱビデオ信号である。次に、Ｑビデオ信号をトリガにして各チャンネルＣＨの検波ビデオ信号を比較し、受信信号の振幅レベルが一番高いチャンネルＣＨを検出する。この実施の形態１の場合はチャンネルＣＨ２の周波数ｆ２の信号が一番高いレベルの信号として検出される。こうして最大チャンネル検出回路７はチャンネルＣＨ２が選択されるように、図３（ｄ）に示すチャンネルＣＨ選択信号をチャンネル切替回路８に送る。
【００１６】
チャンネル切替回路８は、最大チャンネル検出回路７からのチャンネルＣＨ選択信号に基づき、ＣＨ制御信号を選択スイッチ５に送る。選択スイッチ５はＣＨ制御信号に基づき、信号レベルの一番高い信号のチャンネルＣＨ２の遅延回路４２に切替接続する。こうして同時に複数の信号を受信した場合でも、ＩＦＭ受信機９には一番高いレベルの周波数ｆ２の信号１波のみが入力されるので、正確に周波数を測定できる。
【００１７】
実施の形態２．
次にこの実施の形態２における周波数測定装置を図面に基づき説明する。図４はこの発明の実施の形態２における周波数測定装置の構成図、図５は実施の形態２における周波数測定装置の動作説明図である。
図４において、分配器１、バンドパスフィルタ２１〜２ｎ、２分配器３１〜３ｎ、遅延回路４１〜４ｎ、選択スイッチ５、検波器６およびＩＦＭ受信機９は図１に示す実施の形
態１と同じに付き、同じ符号を付して説明は省略する。
【００１８】
実施の形態２においては、検波器６からのビデオ信号を入力する回路として、実施の形態１の最大チャンネル検出回路７の代わりに信号検出回路１０を用いている。この信号検出回路１０は、ビデオ信号の信号入力があったチャンネルＣＨを検出する回路で、同時に複数の信号を受信した場合でも複数の信号をそれぞれ検出する。この信号検出回路１０で検出されたそれぞれの信号に基づき、チャンネル切替回路８にチャンネルＣＨ選択信号を時分割で送るようにしている。チャンネル切替回路８は、信号検出回路１０からのチャンネルＣＨ選択信号に基づいて選択スイッチ５にＣＨ制御信号を送り、選択スイッチ５を信号入力のあったチャンネルＣＨの遅延回路４に時分割で切替接続するようにする。こうして選択スイッチ５は、同時に複数の信号を受信した場合でもＩＦＭ受信機９には時分割で１波のみの信号が入力されるように選択され、最終的には複数の信号のすべてがＩＦＭ受信機９に入力されるようにする。
【００１９】
次の実施の形態２における周波数測定装置の動作を図４および図５に基づいて説明する。ここの説明では、受信信号ｆＲＦとして、実施の形態１と同じように、パルス変調されたレベル差のある周波数ｆ１の信号と周波数ｆ２の信号の複数信号を同時に受信した場合について説明する。
高周波の受信信号ｆＲＦは分配器１により分配され、周波数ｆ１の信号はチャンネルＣＨ１のバンドパスフィルタ（ＢＰＦ）２１を、周波数ｆ２の信号はチャンネルＣＨ２のバンドパスフィルタ（ＢＰＦ）２２をそれぞれ通過する。チャンネルＣＨ３のバンドパスフィルタ２３・・・チャンネルＣＨｎのバンドパスフィルタ２ｎには、受信信号ｆＲＦにそれに相当する周波数の信号がないため、信号は通過しない。
【００２０】
チャンネルＣＨ１のバンドパスフィルタ２１を通過した周波数ｆ１の信号、およびチャンネルＣＨ２のバンドパスフィルタ２２を通過した周波数ｆ２の信号は、２分配器３１、３２でそれぞれ信号が２分配される。２分配された一方の周波数ｆ１の信号と周波数ｆ２の信号は遅延回路４１および４２に入力され、２分配された他方の周波数ｆ１の信号と周波数ｆ２の信号は検波器６でビデオ信号に変換される。図５（ａ）は検波器６で変換された検波ビデオ信号を示す。ここではチャンネルＣＨ１、ＣＨ２に周波数ｆ１、ｆ２の信号があり、チャンネルＣＨ３・・・ＣＨｎには信号がない。
【００２１】
検波後のビデオ信号は信号検出回路１０に入力され、まずチャンネルＣＨ１〜ＣＨｎの各検波ビデオ信号のオア（ＯＲ）をとる。このＯＲをとった後の信号が図５（ｂ）のＯＲ検波ビデオ信号である。次に、このＯＲ検波ビデオ信号とスレッショルドレベルを比較することにより、スレッショルドレベルを越えたＯＲ検波ビデオ信号からＱビデオ信号を生成する。これが図５（ｃ）のＱビデオ信号である。次に、Ｑビデオ信号をトリガにして各チャンネルＣＨの検波ビデオ信号の有無を検出する。この実施の形態２の場合はチャンネルＣＨ１の周波数ｆ１の信号とチャンネルＣＨ２の周波数ｆ２の２つの信号が検出される。信号検出回路１０は信号を検出した場合、図５（ｄ）のようにチャンネルＣＨ順に、まず周波数ｆ１の信号のチャンネルＣＨ１を選択するようチャンネルＣＨ選択信号をチャンネル切替回路８に送り、次の周期に周波数ｆ２の信号のチャンネルＣＨ２を選択するようチャンネルＣＨ選択信号をチャンネル切替回路８に送る。
【００２２】
チャンネル切替回路８は時分割で送られたチャンネルＣＨ選択信号に基づき、選択スイッチ５にＣＨ制御信号を時分割で送る。選択スイッチ５はＣＨ制御信号に基づき、まず信号入力のあったチャンネルＣＨ１の遅延回路４１に、次のＣＨ制御信号で信号入力のあったチャンネルＣＨ２の遅延回路４２に時分割で切替接続する。こうして選択スイッチ５はＩＦＭ受信機９に時分割でまず周波数ｆ１の信号を、次に周波数ｆ２の信号を入力するように、１波のみが入力されるように制御する。こうしてＩＦＭ受信機９は装置が同時に複
数の信号を受信した場合でも時分割で１波のみの信号が入力されるので入力信号の周波数を正確に測定できる。
なお以上の説明は複数信号を同時に受信した場合として、チャンネルＣＨ１に周波数ｆ１の信号、チャンネルＣＨ２に周波数ｆ２の信号の２信号を受信した場合について説明したが、同時に３つ以上の信号を受信した場合でも、時分割で１波のみがＩＦＭ受信機９に入力されるように選択スイッチ５は制御される。
【００２３】
実施の形態３．
次にこの実施の形態３における周波数測定装置を図面に基づき説明する。図６はこの発明の実施の形態３における周波数測定装置の構成図、図７は実施の形態３に使用される周波数変換部の原理を示す図、図８および図９は周波数変換部の有無によってＩＦＭ受信機に入力される周波数範囲が異なることを説明する図である。
図６において、分配器１、バンドパスフィルタ２１〜２ｎ、２分配器３１〜３ｎ、遅延回路４１〜４ｎ、選択スイッチ５、検波器６、信号検出回路１０、チャンネル切替回路８およびＩＦＭ受信機９は図４に示す実施の形態２と同じに付き、同じ符号を付して説明は省略する。
【００２４】
実施の形態３は、実施の形態２における周波数測定装置において、選択スイッチ５の後段に接続されるミキサ１１と、このミキサ１１に入力される信号の周波数を変換するための周波数可変信号発振器１２と、この周波数可変信号発振器１２の発振周波数を可変する制御信号を送る局発制御回路１３を設けたものである。局発制御回路１３はチャンネル切替回路８からの信号により周波数可変信号発振器１２の発振周波数を可変するよう制御する。このようにチャンネル切替回路８からの切替信号に応じて周波数可変信号発振器１２の発振周波数を可変制御することにより、ミキサ１１からＩＦＭ受信機９に入力される信号の周波数範囲がほぼ同じになるようにする。
【００２５】
図７はミキサ１１と周波数可変信号発振器１２とからなる周波数変換部の原理を示す図で、ミキサ１１に入力される高周波の信号ｆＲＦと周波数可変信号発振器１２から出力される発振信号ｆＬＯにより、ミキサ１１からは中間周波数信号ｆＩＦが出力される。この出力される中間周波数信号ｆＩＦの周波数は次の式１のとおりとなる。
ｆＩＦ＝｜ｆＲＦ―ｆＬＯ｜・・・（式１）
【００２６】
次の実施の形態３における周波数測定装置の動作を図８および図９に基づいて説明する。ここの説明では、受信信号ｆＲＦとして、３〜１５ＧＨの周波数からなる複数の信号を同時に受信した場合について説明する。
高周波の受信信号ｆＲＦは分配器１により分配され、周波数ｆ１（３〜６ＧＨｚ）の信号はチャンネルＣＨ１のバンドパスフィルタ（ＢＰＦ）２１を、周波数ｆ２（６〜９ＧＨｚ）の信号はチャンネルＣＨ２のバンドパスフィルタ（ＢＰＦ）２２を、周波数ｆ３（９〜１２ＧＨｚ）の信号はチャンネルＣＨ３のバンドパスフィルタ（ＢＰＦ）２３を、周波数ｆｎ（１２〜１５ＧＨｚ）の信号はチャンネルＣＨｎのバンドパスフィルタ（ＢＰＦ）２ｎを通過する。
【００２７】
チャンネルＣＨ１のバンドパスフィルタ２１を通過した周波数ｆ１（３〜６ＧＨｚ）の信号、チャンネルＣＨ２のバンドパスフィルタ２２を通過した周波数ｆ２（６〜９ＧＨｚ）の信号、チャンネルＣＨ３のバンドパスフィルタ２３を通過した周波数ｆ３（９〜１２ＧＨｚ）の信号およびチャンネルＣＨｎのバンドパスフィルタ２ｎを通過した周波数ｆｎ（１２〜１５ＧＨｚ）の信号は、それぞれ２分配器３１、３２、３３、３ｎでそれぞれ信号が２分配される。２分配された一方の周波数ｆ１から周波数ｆｎの信号はそれぞれ遅延回路４１、４２、４３、４ｎに入力され、２分配された他方の周波数ｆ１から周波数ｆｎの信号は検波器６でビデオ信号に変換される。
【００２８】
検波後のビデオ信号は信号検出回路１０に入力され、ビデオ信号をトリガにして各チャンネルＣＨの検波ビデオ信号の有無を検出する。この実施の形態３の場合はチャンネルＣＨ１の周波数ｆ１（３〜６ＧＨｚ）の信号と、チャンネルＣＨ２の周波数ｆ２（６〜９ＧＨｚ）の信号と、チャンネルＣＨ３の周波数ｆ３（９〜１２ＧＨｚ）の信号と、チャンネルＣＨｎの周波数ｆｎ（１２〜１５ＧＨｚ）の信号の４つの信号が検出される。信号検出回路１０は信号を検出した場合、チャンネルＣＨ順に、まず周波数ｆ１の信号のチャンネルＣＨ１を選択するようチャンネルＣＨ選択信号をチャンネル切替回路８に送り、次の周期に周波数ｆ２の信号のチャンネルＣＨ２を選択するようチャンネルＣＨ選択信号をチャンネル切替回路８に送り、更に次の周期に周波数ｆ３の信号のチャンネルＣＨ３を選択するようチャンネルＣＨ選択信号をチャンネル切替回路８に送り、更に次の周期に周波数ｆｎの信号のチャンネルＣＨｎを選択するようチャンネルＣＨ選択信号をチャンネル切替回路８に送る。
チャンネル切替回路８は時分割で送られたチャンネルＣＨ選択信号に基づき、選択スイッチ５にＣＨ制御信号を時分割で送る。選択スイッチ５はＣＨ制御信号に基づき、信号入力のあったチャンネルＣＨの遅延回路４１〜４ｎを時分割で切替接続する。
【００２９】
ここで図８に示すように選択スイッチ５の後段にミキサ１１と周波数可変信号発振器１２からなる周波数変換部がない場合は、選択スイッチ５によりＩＦＭ受信機９には時分割で同時に複数受信した信号の１波のみが入力されるように制御されているから、ＩＦＭ受信機９は、周波数ｆ１（３〜６ＧＨｚ）の信号、周波数ｆ２（６〜９ＧＨｚ）の信号、周波数ｆ３（９〜１２ＧＨｚ）の信号、周波数ｆｎ（１２〜１５ＧＨｚ）の信号の４つの信号を順番に測定する。しかしながらＩＦＭ受信機９は周波数３〜１５ＧＨｚの広帯域の周波数の信号を測定しなければならず、周波数測定分解能が悪くなる。
【００３０】
そこでこの実施の形態３の発明は、図９に示すように選択スイッチ５の後段にミキサ１１と周波数可変信号発振器１２からなる周波数変換部を設け、チャンネル切替回路８から時分割で送られたＣＨ制御信号に基づき、選択スイッチ５を信号入力のあったチャンネルＣＨの遅延回路４１〜４ｎを時分割で切替接続すると共に、局発制御回路１３により周波数可変信号発振器１２の発振周波数をＣＨ制御信号に応じて可変するようにしている。
【００３１】
局発制御回路１３は、例えば、チャンネルＣＨ１の周波数ｆ１（３〜６ＧＨｚ）の信号を検出した場合のＣＨ制御信号の時は、周波数可変信号発振器１２の発振周波数を１ＧＨｚにし、チャンネルＣＨ２の周波数ｆ２（６〜９ＧＨｚ）の信号を検出した場合のＣＨ制御信号の時は、周波数可変信号発振器１２の発振周波数を４ＧＨｚにし、チャンネルＣＨ３の周波数ｆ３（９〜１２ＧＨｚ）の信号を検出した場合のＣＨ制御信号の時は、周波数可変信号発振器１２の発振周波数を７ＧＨｚにし、チャンネルＣＨｎの周波数ｆｎ（１２〜１５ＧＨｚ）の信号を検出した場合のＣＨ制御信号の時は、周波数可変信号発振器１２の発振周波数を１０ＧＨｚにするようにしている。
【００３２】
ＩＦＭ受信機９には選択スイッチ５により時分割で同時に複数受信した信号の１波のみが入力されるように制御されているから、ミキサ１１にチャンネルＣＨ１の周波数ｆ１（３〜６ＧＨｚ）の信号が入力された時は、周波数可変信号発振器１２からは１ＧＨｚの周波数の信号が出力され、ＩＦＭ受信機９には２〜５ＧＨｚの周波数の信号が入力されるようになる。また、ミキサ１１にチャンネルＣＨ２の周波数ｆ２（６〜９ＧＨｚ）の信号が入力された時は、周波数可変信号発振器１２からは４ＧＨｚの周波数の信号が出力され、ＩＦＭ受信機９には２〜５ＧＨｚの周波数の信号が入力されるようになる。同様に、ミキサ１１にチャンネルＣＨ３の周波数ｆ３（９〜１２ＧＨｚ）の信号が入力された時は、周波数可変信号発振器１２からは７ＧＨｚの周波数の信号が出力され、ＩＦＭ受信機９には２〜５ＧＨｚの周波数の信号が入力されるようになる。同様に、ミキサ１１にチャンネル
ＣＨｎの周波数ｆｎ（１２〜１５ＧＨｚ）の信号が入力された時は、周波数可変信号発振器１２からは１０ＧＨｚの周波数の信号が出力され、ＩＦＭ受信機９には２〜５ＧＨｚの周波数の信号が入力されるようになる。
【００３３】
このようにＩＦＭ受信機９は、周波数ｆ１（３〜６ＧＨｚ）の信号、周波数ｆ２（６〜９ＧＨｚ）の信号、周波数ｆ３（９〜１２ＧＨｚ）の信号、周波数ｆｎ（１２〜１５ＧＨｚ）の信号の４つの信号を順番に測定する際にも、ＩＦＭ受信機９には周波数２〜５ＧＨｚの信号しか入力されないから、周波数測定分解能が良いＩＦＭ受信機９で装置の構成が可能となる。
【図面の簡単な説明】
【００３４】
【図１】この発明の実施の形態１における周波数測定装置の構成図である。
【図２】この発明の周波数測定装置に使用されるＩＦＭ受信機の一例を示す概略図である。
【図３】この発明の実施の形態１における周波数測定装置の動作説明図である。
【図４】この発明の実施の形態２における周波数測定装置の構成図である。
【図５】この発明の実施の形態２における周波数測定装置の動作説明図である。
【図６】この発明の実施の形態３における周波数測定装置の構成図である。
【図７】この発明の実施の形態３に使用される周波数変換部の原理を説明する図である。
【図８】周波数変換部がない場合のＩＦＭ受信機に入力される周波数範囲の説明図である。
【図９】実施の形態３の場合におけるＩＦＭ受信機に入力される周波数範囲の説明図である。
【符号の説明】
【００３５】
１：分配器                          ２１〜２ｎ：バンドパスフィルタ（ＢＰＦ）
３１〜３ｎ：２分配器                ４１〜４ｎ：遅延回路
５：チャンネル選択スイッチ          ６：検波器
７：最大チャンネル検出回路          ８：チャンネル切替回路
９：ＩＦＭ受信機                  １０：信号検出回路
１１：ミキサ                        １２：周波数可変信号発振器
１３：局発制御回路。
【図１】
2009198383.tif 000003
【図２】
2009198383.tif 000004
【図３】
2009198383.tif 000005
【図４】
2009198383.tif 000006
【図５】
2009198383.tif 000007
【図６】
2009198383.tif 000008
【図７】
2009198383.tif 000009
【図８】
2009198383.tif 000010
【図９】
2009198383.tif 000011